(57)【特許請求の範囲】
【請求項１】
第一の記録媒体にトラック毎に記録されているデータを、トラックナンバーが対応付けられたデータを所定の形式で圧縮したファイルとして第二の記録媒体に記録する記録手段を備えた記録装置において、
前記記録手段によるファイル記録後に、前記第二の記録媒体の空き容量を取得し、前記第二の記録媒体に記録されているファイルのうちトラックナンバーが所定のナンバーであるファイルを、前記第二の記録媒体の空き容量の範囲内でコピーするファイルコピー手段と、
前記ファイルコピー手段で作成されたファイルを収容するフォルダを前記第二の記録媒体の最上位階層に作成するフォルダ作成手段と、
を備えたことを特徴とする記録装置。
【請求項２】
前記ファイルコピー手段は、前記第二の記録媒体に記録されているファイルのうちトラックナンバーが１であるファイルを前記フォルダにコピーすることを特徴とする請求項１記載の記録装置。
【請求項３】
第一の記録媒体にトラック毎に記録されているデータを、トラックナンバーが対応付けられたデータを所定の形式で圧縮したファイルとして第二の記録媒体に記録する制御を行う記録方法において、
前記第二の記録媒体へのファイル記録後に前記第二の記録媒体の空き容量を取得する工程と、
前記第二の記録媒体に記録されているファイルのうちトラックナンバーが所定のナンバーであるファイルを、前記第二の記録媒体の空き容量の範囲内でコピーする工程と、
前記コピーされたファイルを収容するフォルダを前記第二の記録媒体の最上位階層に作成する工程と、
を含むことを特徴とする記録方法。
【発明の詳細な説明】
【０００１】
【発明の属する技術分野】
本発明は、記録装置、及び記録方法に関する。
【０００２】
【従来の技術】
近年、音楽のデジタルデータ化が進んでいる。それに伴い、音楽の記録媒体も大容量化し、１枚で６５０ＭＢもの容量をもつ光磁気ディスクも登場している。
一方で、音声圧縮技術も向上し、高圧縮率で高品質な圧縮技術もしくはその技術を使って圧縮した音楽データであるＭＰ３（MPEG-１Audio  Layer-3）方式によれば、無圧縮の場合には約１０ＭＢに相当する約１分のＣＤ品質のデジタルサウンドデータを、約１０分の１の１ＭＢに圧縮できる。ＭＰ３形式で録音すると、１枚の光磁気ディスクに数十曲〜数百曲もの音楽が録音可能である。
【０００３】
【発明が解決しようとする課題】
しかしながら、光磁気ディスクにＭＰ３形式ファイルで録音した音楽を再生する場合、従来の記録装置により録音された光磁気ディスクにおいては、最上位の階層にあるフォルダの１曲目から順次再生していた。そのため、１枚の光磁気ディスクに録音された音楽を全て聴くには時間がかかりすぎていた。
【０００４】
特に、光磁気ディスクにシングルＣＤをＭＰ３形式ファイルで多数録音した場合、多くのユーザにとってはシングルＣＤの１曲目が嗜好にあったメイン曲であるにもかかわらず、それに続くカラオケ用の音楽まで再生しなければ、次のメイン曲を聞くことができなかった。
【０００５】
本発明の課題は、所定の圧縮形式で記録されたデータを再生する際に、所望のデータを優先的に再生することによって、再生にかかる余分な時間を短縮し、利便性を向上させることである。
【０００６】
【課題を解決するための手段】
上記課題を解決するため、請求項１に記載の発明は、
第一の記録媒体にトラック毎に記録されているデータを、トラックナンバーが対応付けられたデータを所定の形式で圧縮したファイルとして第二の記録媒体に記録する記録手段を備えた記録装置において、
前記記録手段によるファイル記録後に、前記第二の記録媒体の空き容量を取得し、前記第二の記録媒体に記録されているファイルのうちトラックナンバーが所定のナンバーであるファイルを、前記第二の記録媒体の空き容量の範囲内でコピーするファイルコピー手段と、
前記ファイルコピー手段で作成されたファイルを収容するフォルダ（ダイジェストフォルダ）を前記第二の記録媒体の最上位階層に作成するフォルダ作成手段と、
を備えたことを特徴としている。
【０００７】
請求項２に記載の発明は、請求項１に記載の発明において、
前記ファイルコピー手段は、前記第二の記録媒体に記録されているファイルのうちトラックナンバーが１であるファイルを前記フォルダにコピーすることが好ましい。
【０００８】
請求項３に記載の発明は、
第一の記録媒体にトラック毎に記録されているデータを、トラックナンバーが対応付けられたデータを所定の形式で圧縮したファイルとして第二の記録媒体に記録する制御を行う記録方法において、
前記第二の記録媒体へのファイル記録後に前記第二の記録媒体の空き容量を取得する工程と、
前記第二の記録媒体に記録されているファイルのうちトラックナンバーが所定のナンバーであるファイルを、前記第二の記録媒体の空き容量の範囲内でコピーする工程と、
前記コピーされたファイルを収容するフォルダ（ダイジェストフォルダ）を前記第二の記録媒体の最上位階層に作成する工程と、
を含むことを特徴としている。
【０００９】
【発明の実施の形態】
以下、図を参照して本発明の実施の形態を詳細に説明する。
まず、構成を説明する。
【００１０】
図１は、本実施の形態におけるディスク記録再生装置１０の全体構成を示す図である。図１に示す様に、ディスク記録再生装置１０は、システムコントローラ１、表示部２、操作部３、再生部４、ＭＰ３エンコーダ／デコーダ５、増幅回路６、音声出力端子７、録音／再生部８により構成され、システムコントローラ１は、その内部にＣＰＵ１ａ、ＲＯＭ１ｂ、ＲＡＭ１ｃを有する。
【００１１】
システムコントローラ１内のＣＰＵ（Central Processing Unit）１ａは、ユーザによる操作部３からのキー操作により、ＲＯＭ１ｂに格納されている各種制御プログラムを読み出し、ＲＡＭ１ｃ内のプログラム格納領域に展開し、該制御プログラムに従って各部の動作を集中制御する。また、ＣＰＵ１ａは、読み出したプログラムに従って、後述するダイジェストフォルダ作成処理をはじめとする各種処理を実行し、その結果をＲＡＭ１ｃに形成されるワークエリアに一時的に格納すると共に、表示部２に表示させる。そして、ＲＡＭ１ｃに格納した処理結果を、ＲＯＭ１ｂや録音／再生部８に装着した記録媒体等の所定の保存先に保存させる。
【００１２】
すなわち、ＣＰＵ１ａは、ダイジェストフォルダ作成処理の実行に際して、光磁気ディスクにＭＰ３形式ファイルでの録音が終了すると、光磁気ディスクの空き容量を読み取り、ＲＡＭ１ｃに仮フォルダを作成し、光磁気ディスクに記録されているＭＰ３形式ファイルを最上位のファイルから順次１ファイルずつ読み込む。そして、該ファイルのＩＤ３ＴＡＧにトラック１を表す情報があれば、該ファイルのデータサイズと既にＲＡＭ１ｃ内の仮フォルダにコピーされているデータサイズとを加算した結果と光磁気ディスクの空き容量を比較し、空き容量の方が大きければ、該ファイルをＲＡＭ１ｃ内の仮フォルダにコピーする。この作業を光磁気ディスクに記録されているすべてのＭＰ３形式ファイルに対して行い、完了後、ＲＡＭ１ｃ内の仮フォルダを光磁気ディスクの最上位階層にコピーする。
【００１３】
ＲＯＭ（Read Only  Memory）１ｂは、磁気的、光学的記録媒体、若しくは半導体等の不揮発性メモリで構成されている。ＲＯＭ１ｂにはディスク記録再生装置１０に対応するシステムプログラム、及び該システムプログラム上で実行可能なダイジェストフォルダ作成処理プログラム等の各種処理プログラム、及び当該プログラムの実行に必要なデータを予め記憶する。
【００１４】
ＲＡＭ（Random Access Memory）１ｃは、ＣＰＵ１ａにより実行制御される上記各種処理において、ＲＯＭ１ｂから読み出されたディスク記録再生装置１０で実行可能なシステムプログラム、制御プログラム、入力若しくは出力データ、及びパラメータ等の一時的な格納領域となる。
【００１５】
表示部２は、ＬＣＤ（Liquid Crystal Display）等により構成され、システムコントローラ１から入力される表示信号の指示に従って、表示画面上に、ディスクの全録音時間、ディスク全体の曲数、現在録音または再生されている曲番号等の情報や動作モード等の表示を行う。
【００１６】
操作部３は、録音キー、再生キー、テンキー、ＳＫＩＰ  ＵＰ／ＤＯＷＮキー、停止キー等の各種機能キーを備え、キー操作による操作信号をシステムコントローラ１へ出力する。
【００１７】
再生部４は、図示しない光ピックアップ、ＤＳＰ、トラッキングスレッドサーボ回路、スピンドルサーボ回路、Ｄ／Ａ変換器等により構成され、システムコントローラ１から入力される制御信号により、再生部４に装着されたディスク上の目的アドレスの検索や該アドレスに対応するデータの再生を行う。
【００１８】
光ピックアップは、ディスク再生時に、後述するトラッキングスレッドサーボ回路に制御されたスレッドにより、ディスクの半径方向に移動し、当該ディスクにレーザ光を照射することで、その反射光の強弱から当該ディスクに記録されているデータを抽出する。
【００１９】
ＤＳＰ（Digital Signal Processor）は、光ピックアップによりディスクから読み出されたデジタル音声信号に対して低周波成分と高周波成分を抑えるＥＦＭ（Eight to Fourteen Modulation）デコード等の変調処理を施す。
【００２０】
トラッキングスレッドサーボ回路は、ディスク再生時に、ＤＳＰから入力した各種信号に基づいて、スレッド駆動信号をスレッドモータに印加することにより、光ピックアップをディスクの半径方向に移動させる。
【００２１】
スピンドルサーボ回路は、ディスク再生時に、ＤＳＰから入力した各種信号に基づいて、ディスクを下方から支持しているスピンドルモータにスピンドル駆動信号を印加することで、スピンドルモータを一定線速度に制御し、当該ディスクを回転駆動させる。
【００２２】
Ｄ／Ａ変換器は、再生部４によるディスクの再生時に、ＤＳＰで処理されたデジタル音声信号をアナログ音声信号に変換する。
【００２３】
ＭＰ３エンコーダ／デコーダ５は、光磁気ディスクへの記録時にはエンコード回路として機能する。再生時にはデコード回路として機能し、ＭＰ３形式で圧縮符号化された音楽データを復号化する。増幅回路６は、ＭＰ３エンコーダ／デコーダ５で復号処理された音楽データや、再生部４から入力される音楽データを増幅し、音声出力端子７に出力する。
【００２４】
音声出力端子７は、図示しないコネクタ部を介して接続されるイヤホンやヘッドホンまたは本体に内蔵されるスピーカ等により構成され、増幅回路６で増幅された音声を外部に再生出力する。
【００２５】
録音／再生部８は、図示しない光ピックアップ、ＤＳＰ、トラッキングスレッドサーボ回路、スピンドルサーボ回路、Ｄ／Ａ変換器、ヘッド駆動部等により構成され、システムコントローラ１から入力される制御信号により、録音／再生部８内に装着されたディスク上の目的アドレスの検索や該アドレスに対応するデータの再生、記録を行う。
【００２６】
ヘッド駆動部は、光磁気ディスクを挟んで光ピックアップと対向する位置に配置されており、ＭＰ３エンコーダ／デコーダ５からＤＳＰへ供給される信号、あるいはＤＳＰから供給される信号に応じた磁場を光磁気ディスクに印加する。これにより、光磁気ディスクに音楽データが記録される。
【００２７】
次に動作を説明する。
ディスク記録再生装置１０により実行されるダイジェストフォルダ作成処理を図２のフローチャートを参照して説明する。
【００２８】
システムコントローラ１のＣＰＵ１ａは、操作部３の所定キーが押下され、録音を開始する旨の状態変化信号を受信すると、録音処理を開始する（ステップＳ１；Ｙ）。すなわち、ＣＰＵ１ａは、再生部４に装着されたＣＤ１１に記録されている音楽データをＲＡＭ１ｃに読み出す（ステップＳ２）。録音を希望する全ての音楽データの読み出しが終了すると（ステップＳ３；Ｙ）、ＲＡＭ１ｃに読み出した音楽データをＭＰ３エンコーダ／デコーダ５によって圧縮し（ステップＳ４）、圧縮された音楽データに応じた磁場を録音／再生部８に装着された光磁気ディスク２１に印加する（ステップＳ５）。
【００２９】
ここで、ＭＰ３形式ファイルは第一世代（ＩＤ３ｖ１）、第二世代（ＩＤ３ｖ１.１）、それ以降の世代（ＩＤ３ｖ２）が存在するが、どの世代においてもＩＤ３ＴＡＧと呼ばれる付加情報の格納領域を持つことができ、録音元となるＣＤ１１に記録されている音楽データのトラックＮＯ（ナンバー）を付加情報として格納する。トラックＮＯとは録音元となるＣＤ１１に形成されている複数のトラックの各々を識別する為に付した番号で、録音元となる記録媒体の最も内側にあるトラックのトラックＮＯを１として、外側に向かって２、３…と増加する。このトラックＮＯと再生される曲の番号は対応している。
【００３０】
第二世代以降のＭＰ３形式ファイルではトラックＮＯ自体を専用に表す情報エリアを有している。第一世代においてはトラックＮＯを専用に表す情報エリアは存在しないが、トラックＮＯを表す情報としてタイトルの頭にトラックＮＯを表す２桁の数字が書き込まれている（トラック１なら、０１と書き込まれている。）。  すなわち、録音の際、ＭＰ３形式ファイルには音楽データと共に録音元の記録媒体のトラックＮＯを含む付加情報が記録される。
【００３１】
ＣＤ１１から光磁気ディスク２１へのＭＰ３形式での録音が終了すると（ステップＳ６）、ＣＰＵ１ａは、光磁気ディスク２１の空き容量をＲＡＭ１ｃに読み込み（ステップＳ７）、ディスク記録再生装置１０内のＲＡＭ１ｃに新規の仮のフォルダを作成する（ステップＳ８）。
【００３２】
仮フォルダの作成後、ＣＰＵ１ａは、光磁気ディスク２１に記録されているＭＰ３形式ファイルを最上位層から順に１ファイルずつ読み出し（ステップＳ９）、当該ＭＰ３形式ファイルのＩＤ３ＴＡＧにトラックＮＯ１を表す情報があるか否かを判別する（ステップＳ１０）。
【００３３】
判別の結果、トラックＮＯ１を表す情報があると（ステップＳ１０；Ｙ）、ＣＰＵ１ａは、ＲＡＭ１ｃ内に作成した仮フォルダに既にコピーされているファイルの総データサイズと当該ＭＰ３形式ファイルのデータサイズとを加算したデータサイズを、光磁気ディスク２１の空き容量と比較する（ステップＳ１１）。
【００３４】
比較の結果、光磁気ディスク２１の空き容量の方が大きければ（ステップＳ１１；Ｙ）、ＣＰＵ１ａは、ファイルのコピー可能と判断し、ＭＰ３形式ファイルをＲＡＭ１ｃ内の仮フォルダにコピーし（ステップＳ１２）、仮フォルダ内に既に存在していたファイルの総データサイズに当該ＭＰ３形式ファイルのデータサイズを加算して、仮フォルダの総コピーデータサイズを更新する（ステップＳ１３）。ＣＰＵ１ａは、光磁気ディスク２１に記録されている全てのＭＰ３形式ファイルのコピー処理が終了するまで、仮フォルダの空き容量の許容範囲内で上記ステップＳ９〜Ｓ１３の処理を繰り返し実行する。
【００３５】
全てのＭＰ３形式ファイルの検索が終了すると（ステップＳ１４；Ｙ）、ＣＰＵ１ａはＲＡＭ１ｃ内に作成した仮フォルダを光磁気ディスク２１の最上位階層にコピーし、ダイジェストフォルダを作成する。既に光磁気ディスク２１にダイジェストフォルダが存在している場合は、新しいダイジェストフォルダに上書きする（ステップＳ１５）。ダイジェストフォルダの作成が完了すると、一連のダイジェストフォルダ作成処理が終了する。
【００３６】
以上説明した様に、ディスク記録再生装置１０によれば、ＣＤ１１をＭＰ３形式ファイルで光磁気ディスク２１に録音した後、光磁気ディスク２１に空き容量が存在する限りにおいて付加情報のトラックＮＯが１である、つまり録音元のＣＤ１１の１曲目であるＭＰ３形式ファイルを集めたダイジェストフォルダを、光磁気ディスク２１の最上位階層に自動的に作成する。これにより、光磁気ディスク２１の再生は、最上位階層に作成されたフォルダ内の音楽データから順次行われる。その結果、例えばシングルＣＤをＭＰ３形式ファイルで多数録音した光磁気ディスクを再生する場合、多くのユーザにとってより嗜好性の高いメイン曲が優先的に再生されることになり、再生にかかる余分な時間を短縮し、効率よく音楽を楽しむことができる。
【００３７】
なお、上記各実施の形態における記述内容は、本発明に係るディスク記録再生装置１０の好適な一例であり、これに限定されるものではない。
例えば、録音元となる記録媒体としては読み出し可能なものであれば特にＣＤに限定されず、ＤＶＤ等であってもよい。データの圧縮形式もＭＰ３に限定されるものではなく、圧縮されたファイルが録音元となる記録媒体のトラックＮＯの情報を持つものであればよい。
【００３８】
また、上記各実施の形態では、ダイジェストフォルダ作成処理は光磁気ディスク２１へのＭＰ３形式による録音から行っているが、既にＭＰ３形式ファイルで録音済みの光磁気ディスクを録音／再生部８に装着し、その光磁気ディスクについてステップＳ７の処理から順次処理を行い、ダイジェストフォルダを作成することも可能である。
さらに、アルバムＣＤの様に、録音元のＣＤの１曲目が必ずしもメイン曲ではない場合もあるので、録音する際にダイジェストフォルダ作成の要否をユーザが指定するようにしてもよい。
その他、本装置の細部構成、及び詳細動作に関しても、本発明の趣旨を逸脱することのない範囲で適宜変更可能である。
【００３９】
【発明の効果】
本発明の効果によれば、記録媒体に所定の圧縮形式で記録されたデータを再生する際に、所望のデータを優先的に再生することによって、再生所要時間を短縮し、効率性、利便性を向上することができる。
【図面の簡単な説明】
【図１】本発明に係るディスク記録再生装置１０の全体構成を概念的に示す図である。
【図２】図１のＣＰＵ１ａにより実行されるダイジェストフォルダ作成処理の動作を示すフローチャートである。
【符号の説明】
１    システムコントローラ
１ａ  ＣＰＵ
１ｂ  ＲＯＭ
１ｃ  ＲＡＭ
２    表示部
３    操作部
４    再生部
５    ＭＰ３エンコーダ／デコーダ
６    増幅回路
７    音声出力端子
８    録音／再生部
１０    ディスク記録再生装置
１１    ＣＤ
２１    光磁気ディスク
【図１】
0003887545.tif 000002
【図２】
0003887545.tif 000003